(57)【要約】【課題】  レーザー加工における作業効率を向上させることができ、一つの金属基板素材から形成される基板の数量を多くでき、製造効率を向上させることができる電子基板の製造方法を提供することを目的とする。【解決手段】  取り付け穴１３Ａを、電子基板１１の短辺１１ｂ１に連続して形成する。このようにすると、取り付け穴１３Ａを、レーザー光の照射を停止させることなく連続して形成することができるため、レーザー加工装置の利用効率が向上し、加工作業の効率を向上させることができる。また、識別マークとして使用する取り付け穴１３Ａを電子基板１１の内側に設ける。このようにすると、一つの原板２０から形成される電子基板１１の数量を増加させることができ、電子基板１１の製造効率を向上させることができる。【選択図】図２
2006222153.tif 000002
【特許請求の範囲】
【請求項１】
原板にレーザー光を所定の経路に沿って照射して切込み線を形成するとともに前記経路の途中で前記レーザー光の照射を避けてつなぎ部を部分的に残すことにより、前記原板に対し部分的に連結された基板を形成する第１の工程と、
前記基板上に絶縁層をコーティングするとともに前記絶縁層の表面に所定の配線パターンを形成する第２の工程と、
前記配線パターンの導通状態の良否を検査判定して識別マークを付する第３の工程と、
前記識別マークに基づいて前記基板上に所定の電子部品を取り付ける第４の工程と、
前記つなぎ部を切断することにより前記原板から前記基板を切り離す第５の工程と、を有する電子基板の製造方法であって、
前記基板の外形を形成する切込み線の内側には穴部が設けられており、前記第１の工程には前記切込み線を形成する作業と前記穴部用の切込み線を形成する作業とを連続的に行う工程が含まれていることを特徴とする電子基板の製造方法。
【請求項２】
前記第１の工程では、前記原板に連結される接続部が形成され、前記接続部の先端に設けられる残存部が前記穴部の内側に形成され、
前記第３の工程には、前記配線パターンの導通状態の良否判定に基づいて前記接続部を切断して前記残存部を残すか否かによって識別マークを付する作業が設けられている請求項１記載の電子基板の製造方法。
【請求項３】
前記第４の工程が、前記残存部の有無を識別することに基づいて行われる請求項２記載の電子基板の製造方法。
【発明の詳細な説明】
【技術分野】
【０００１】
本発明は、荷重センサなど各種の電子部品が搭載される基板の製造方法に係り、特に、レーザー光を用いて原板から基板を切り出す電子基板の製造方法に関する。
【背景技術】
【０００２】
下記の特許文献１には、従来の電子基板の製造方法を示す実施の形態として、荷重などを検出する歪み検出用センサの製造方法が開示されている。
【０００３】
図６Ａは特許文献１の図１と同じ図であり、レーザーを照射した後の状態を示す金属基板素材の平面図、図６Ｂは金属基板素材内の一つのセンサ基板を拡大して示す平面図、図７は従来の他の実施の形態としての金属基板素材を示す平面図である。なお、図６Ｂではレーザー照射によって金属基板素材に形成された穴および切込み線をハッチングで示している。
【０００４】
従来における歪み検出用センサ２００の製造方法としては、まず、位置決めされた金属基板素材２０１に対しセンサ基板２０２、２０２、２０２、・・・の外形に沿ってレーザーを照射し、複数のセンサ基板２０２を金属基板素材２０１から切り離すための切込み線を形成する。このとき、金属基板素材２０１とセンサ基板２０２とをつなぐ２箇所のつなぎ部２０３、２０３にはレーザーを照射せず、金属基板素材２０１につなげたままにしておく。
【０００５】
次の工程では、歪み検出用センサ２００を被検出物に取り付けるときに用いる円形状の取り付け穴２０４、２０４、２０４をセンサ基板２０２の両腕部２０２ａ、２０２ｂおよび中央部２０２ｃに形成する。
【０００６】
そして、金属基板素材２０１にセンサ基板２０２がつながった状態のまま、センサ基板２０２の表面（図示Ｚ１側の面）にガラスのコーティングをし、絶縁層（図示せず）を形成する。
【０００７】
次に、前記絶縁層が形成されたセンサ基板２０２上にＡｇ系導電インクで配線パターンおよび検出素子（いずれも図示せず）を印刷焼成により形成する。
【０００８】
さらに、次の工程では各センサ基板２０２の前記配線パターン上にＩＣチップや抵抗やコンデンサ等の電子部品が搭載される。そして、最後の工程では、センサ基板２０２は、つなぎ部２０３、２０３において金属基板素材２０１から完全に切り離されることにより、複数の歪み検出用センサ２００が完成する。
【０００９】
ところで、下記の特許文献１には記載されていないが、実際のセンサ基板の製造工程中には、センサ基板２０２上に前記配線パターンを形成した後であって、前記検出素子および前記電子部品を搭載する前の工程において、前記配線パターンが短絡等していないかどうか、すなわち、前記配線パターンの導通が正常に得られているか否かを検査する工程が設けられている。そして、前記配線パターンの導通が正常に得られないものについては、センサ基板２０２上に前記検出素子および前記電子部品を搭載しないようにすることが必要とされている。このため、前記検査工程には、前記配線パターンの導通が正常に得られたものか、正常に得られなかったものかを見分けるための識別マーク２０５を形成する作業が設けられている（図６Ａの点線参照）。
【００１０】
この識別マーク２０５は、取り付け穴２０４を形成する工程と同じ工程で形成することができる。識別マーク２０５は、図６Ｂに示すように、例えばレーザー照射によって金属基板素材２０１上のセンサ基板２０２とは別の所定のスペース部分に円弧状の切込み線２０５ａとして形成されており、切込み線２０５ａ内の円形部分２０５ｂが金属基板素材２０１に対しつなぎ部２０５ｃを介して連結された状態にある。
【００１１】
そして、識別マーク２０５を形成する作業は、前記検査工程において前記配線パターンの導通が正常に得られないと判別されたものの場合にはつなぎ部２０５ｃをカットして円形部分２０５ｂを金属基板素材２０１から離脱させ開口穴２０６を形成し、前記配線パターンの導通が正常に得られたと判別された場合には円形部分２０５ｂをそのまま残すという作業となる。つまり、この識別マーク２０５によって、開口穴２０６を有するものは前記配線パターンの導通が正常に得られなかったものであり、開口穴２０６ものは前記配線パターンの導通が正常に得られたものであると認識することができる。
【００１２】
そして、前記検出素子および前記電子部品を搭載する工程では、開口穴２０６用の識別センサが開口穴２０６の有無を検出し、開口穴２０６を有しない、前記配線パターンの導通が正常に得られたもののみに、前記検出素子および前記電子部品を搭載する。
【特許文献１】特開２００３−１８５５０８号公報
【発明の開示】
【発明が解決しようとする課題】
【００１３】
しかし、前記特許文献１に記載の発明では、最初に金属基板素材２０１にレーザーを照射して金属基板素材２０１に切込み線を形成し、次にセンサ基板２０２の両腕部２０２ａ、２０２ｂおよび中央部２０２ｃに再度レーザーを照射して取り付け穴２０４、２０４、２０４および識別マーク２０５用の切込み線を形成するようにしている。すなわち、金属基板素材２０１にセンサ基板２０２の外形を形成する工程と、取り付け穴２０４及び識別マーク２０５用の切込み線を形成する工程とが別工程である。このため、センサ基板２０２の外形を形成する工程が終了すると、レーザーを一旦停止して非照射状態とする必要がある。そして、取り付け穴２０４を形成する工程のときに、再びレーザーを照射状態とする必要がある。
【００１４】
このように、レーザー作業工程中に照射状態にあったレーザーを非照射状態に設定し、その後再び照射状態にするという工程では作業効率を高めにくいという問題がある。すなわち、レーザーを一旦非照射状態にすると、その都度次の照射に備えてレーザー光源の照射角度又は位置などを新たに設定し直す必要があるため、レーザーを用いて行う加工工程の作業時間が長くなって作業が非効率となりやすい。
【００１５】
さらに、上記の場合においては、識別マーク２０５がセンサ基板２０２とは異なる金属基板素材２０１上の別スペースに形成される構成である。このため、金属基板素材２０１には識別マーク２０５を形成するためのスペースが必要となるため、１つの金属基板素材２０１から切り出すことが可能なセンサ基板２０２の数が少なくなる。
【００１６】
特に、センサ基板（電子基板）１１の形状が、図７に示すようなバー形状をしたものである場合には、隣接するセンサ基板（電子基板）１１とセンサ基板（電子基板）１１との間に識別マーク１０１を形成すると、一つの金属基板素材（原板）２０から切り出すことが可能なセンサ基板（電子基板）１１の数が減少してしまうため、極めて非効率的である。
【００１７】
本発明は上記従来の課題を解決するものであり、レーザー加工における作業効率を向上させることができるようにした電子基板の製造方法を提供することを目的としている。
【００１８】
また、本発明は識別マークを基板内に形成することにより、一つの金属基板素材から形成される基板の数量を多くでき、製造効率を向上させることを可能とした電子基板の製造方法を提供することを目的としている。
【課題を解決するための手段】
【００１９】
本発明は、原板にレーザー光を所定の経路に沿って照射して切込み線を形成するとともに前記経路の途中で前記レーザー光の照射を避けてつなぎ部を部分的に残すことにより、前記原板に対し部分的に連結された基板を形成する第１の工程と、
前記基板上に絶縁層をコーティングするとともに前記絶縁層の表面に所定の配線パターンを形成する第２の工程と、
前記配線パターンの導通状態の良否を検査判定して識別マークを付する第３の工程と、
前記識別マークに基づいて前記基板上に所定の電子部品を取り付ける第４の工程と、
前記つなぎ部を切断することにより前記原板から前記基板を切り離す第５の工程と、を有する電子基板の製造方法であって、
前記基板の外形を形成する切込み線の内側には穴部が設けられており、前記第１の工程には前記切込み線を形成する作業と前記穴部用の切込み線を形成する作業とを連続的に行う工程が含まれていることを特徴とする。
【００２０】
このようにすると、穴部を、レーザー光の照射を停止させることなく、基板の外形を形成する切込み線に連続して形成することが可能であるため、レーザー加工装置の利用効率が向上し、加工作業の効率を向上させることができる。
【００２１】
また、本発明では、前記第１の工程では、前記原板に連結される接続部が形成され、前記接続部の先端に設けられる残存部が前記穴部の内側に形成され、
前記第３の工程には、前記配線パターンの導通状態の良否判定に基づいて前記接続部を切断して前記残存部を残すか否かによって識別マークを付する作業が設けられていることが好ましい。
【００２２】
このようにすると、電子基板の内側に設けられた穴部を、電子基板の配線パターンの導通の良否を判別する識別マークとして利用することができる。したがって、従来の場合のように、前記識別マークを電子基板の外側の位置に穴部とは別個には設ける必要がない。このため、原板に切込み線を形成し、電子基板の外形を形成する工程と、少なくとも識別マーク用の穴部の形成工程とを同一の工程で連続して行うことができ、レーザー加工装置の利用効率を向上させることができる。すなわち、レーザー照射を停止してレーザー光の照射位置を移動させる回数を低減することができるため、一つの電子基板を短時間でレーザーカットすることが可能となる。
【００２３】
また、識別マーク用の穴部を電子基板の内側に設けることができ、原板上の別のスペースに形成する必要がない。このため、従来と比較して、一つの原板から形成される電子基板の数量を増加させることができる。その結果、電子基板を、効率よく大量に製造することができる。すなわち、電子基板の製造効率を向上させることができる。
【００２４】
上記においては、前記第４の工程が、前記残存部の有無を識別することに基づいて行われることが好ましい。
【００２５】
電子基板の良否が、残存部の有無によって検出されると、容易に、そして確実に電子基板の良否を識別することができる。
【００２６】
また、第４の工程では、良品と判断された電子基板の配線パターン上にのみ電子部品が取り付けられる。このため、不良品の電子基板の配線パターン上に、わざわざ電子部品を取り付けることを回避でき、それ自体では正常に動作する電子部品を最終的には廃棄してしまうことを防止でき、電子部品を有効に利用することができる。すなわち、製造コストの低減にもなる。
【発明の効果】
【００２７】
本発明の電子基板の製造方法では、レーザー加工における作業効率を向上させることができ、一つの金属基板素材から形成される基板の数量を多くでき、製造効率を向上させることができる。
【発明を実施するための最良の形態】
【００２８】
図１は本発明の製造方法によって製造される電子基板を示す平面図、図２は本発明の電子基板の製造工程を示す平面図、図３は取り付け穴を形成する第１の方法を示す平面図、図４は取り付け穴を形成する第２の方法を示す平面図、図５は複数の電子基板が形成された状態を示す原板の平面図である。
【００２９】
この実施の形態に示す電子基板１１は、例えば荷重センサ１０として使用される。電子基板１１は、例えばステンレスなどの金属基板素材をベースとする薄板状の基板である。
【００３０】
図１に示すように、電子基板１１は図示Ｘ１−Ｘ２方向に細長いバー形状をしており、図示Ｘ１−Ｘ２方向に所定の間隔をおいて開口する３つの取り付け穴（穴部）１３Ａ，１３Ｂ，１３Ｃを有している。電子基板１１の表面には絶縁層１６が形成されており、絶縁層１６の上には導電性の材料からなる配線パターン（図示せず）が形成されている。そして、前記配線パターン上には複数の歪みセンサ１４、ＩＣチップＥ１、その他チップ抵抗、コンデンサなど多数の電子部品が固定されている。
【００３１】
このような電子基板１１を有する荷重センサ１０は、例えば自動車用のエアバック装置を構成する一部材として使用され、取り付け穴１３Ａ，１３Ｂ，１３Ｃに挿通されたボルトとナットの締結等によって例えば自動車の座席シート（被検出物Ｓ）に取り付けられる。そして、荷重センサ１０は、乗車者が座席シートに座ったときに生じる電子基板１１の変形量を歪みセンサ１４で検出することにより、乗車者の体重を把握することが可能とされている。そして、荷重センサ１０の出力と、その他いくつかのセンサ出力とを組み合わせることにより、乗車者が体格的に子供であるか又は大人であるか等を識別することができるようになっている。そして、交通事故の際には、エアバッグ内への空気の流入量などを乗車者の体格に合わせて自動調節するようになっている。この場合の荷重センサ１０は、交通事故の際のエアバッグが膨張するときの具合をそのときの乗車者の体格に合わせることにより、勢いよく膨張したエアバッグによって乗車者が飛ばされることなどを未然に防止する、エアバッグ装置内の一部品として使用されている。
【００３２】
以下に、本発明の電子基板を製造する方法について説明する。本発明の電子基板は、図示しないレーザー加工装置を用いて１つの原板から複数個取り出されるという方法で製造される。
【００３３】
まず、第１の工程では原板２０が、図示しないレーザー加工装置の作業台上の所定の位置に位置決め固定される。
【００３４】
次に、レーザー加工装置の発光部からレーザー光が照射されるが、例えばレーザー光は、図２に示す原板２０上の電子基板１１の外側に位置する第１の位置Ｐ１に向けて照射される。次に、前記発光部又は電子基板１１が移動させられ、レーザー光が第１の位置Ｐ１から電子基板１１の外形の一部を形成する外形位置Ｐ１１まで移動させられる。続いて、レーザー光は、外形位置Ｐ１１から電子基板１１の一方の長辺１１ａ１に沿う経路で図示Ｘ２方向に向かって移動させられ、所定の距離進んだ後に電子基板１１の一方の短辺１１ｂ１を図示Ｙ２方向に向かって移動させられ、その後に外形位置Ｐ２１を経由しながら第２の位置Ｐ２まで移動させられる。ただし、レーザー光が短辺１１ｂ１を図示Ｙ２方向へ移動する途中には、後述するように取り付け穴（穴部）１３Ａを連続的に形成する作業が設けられている。
【００３５】
レーザー光が第２の位置Ｐ２まで移動したら、レーザー加工装置はレーザー光の照射を一度停止するとともに、レーザー光が第３の位置Ｐ３を照射可能な位置となるように移動させられる。そして、再びレーザー光が照射され、上記と同様に、第３の位置Ｐ３から電子基板１１上の外形位置Ｐ３１まで移動させられ、外形位置Ｐ３１から電子基板１１の他方の短辺１１ｂ２を形成する経路に沿って図示Ｙ２方向に所定距離だけ移動させられる。さらに、電子基板１１の他方の長辺１１ａ２の経路に沿って図示Ｘ２方向に向かって外形位置Ｐ４１を経由しながら第４の位置Ｐ４まで移動させられる。
【００３６】
このように、レーザー光の照射位置を所定の経路を沿って移動させていくと、原板２０上に前記経路（電子基板１１の外形形状）に沿う切込み線を形成することができる。このとき、前記切込み線は電子基板１１の外形を形成するとともに、原板２０と電子基板１１とを分離する境界線として機能する。
【００３７】
上記実施の形態では電子基板１１の外形を１つ形成する工程中に、レーザー光の照射を少なくとも一回停止することが必要となるが、後述するように取り付け穴１３Ａはレーザー光の照射を停止させることなく一方の短辺１１ｂ１に連続して形成することが可能であるため、加工作業が大幅に非効率となることを避けることができる。
【００３８】
なお、前記切込み線を形成する工程としては、第２の位置Ｐ２から第１の位置Ｐ１に向かって形成し、また第４の位置Ｐ４から第３の位置Ｐ３に向かうように形成するものであってもよい。
【００３９】
上記実施の形態では、外形位置Ｐ１１と外形位置Ｐ３１との間、および外形位置Ｐ２１と外形位置Ｐ４１との間にはレーザー光による照射を避けたつなぎ部１２，１２が形成される。つなぎ部１２，１２は、例えば０．５ｍｍ程度の幅寸法を有しており、電子基板１１を原板２０に連結する部材として機能している。
【００４０】
次に、第１の工程中に取り付け穴を形成する方法について説明する。
図３に示す第１の方法では、電子基板１１の一方の短辺１１ｂ１を形成している途中からレーザー光を電子基板１１の内側に向けて図示Ｘ１方向に所定距離だけ移動させて切込み線１３ａを形成する。そして、切込み線１３ａの図示Ｘ１側の先端においてレーザー光を円状に移動させることにより、取り付け穴１３Ａを形成するための円形の切欠み線１３ｂを形成した後、短辺１１ｂ１に向けて図示Ｘ２方向に移動させて切込み線１３ｃを形成する。そして、レーザー光が短辺１１ｂ１に達した後に再びレーザー光を図示Ｙ２方向に移動させることにより、短辺１１ｂ１の続きとしての切込み線を形成する。
【００４１】
このとき、切込み線１３ａと切込み線１３ｃとの間に所定の幅ｄが形成されるようにレーザー光の軌跡を移動させると、円形の切欠み線１３ｂの内側に円形の残存部１３Ａ２が形成されようになり、幅ｄからなる細帯状の接続部１３Ａ１によって、残存部１３Ａ２と原板２０とを連結された状態に設定することができる。なお、この状態から接続部１３Ａ１を切断すると、切込み線１３ａと切込み線１３ｃによって囲まれた連結穴と取り付け穴１３Ａが形成される。
【００４２】
なお、幅ｄをｄ＝０とすると、円形の残存部１３Ａ２を残すことなく、取り付け穴１３Ａを電子基板１１の短辺１１ｂ１に連続して形成することができる。
【００４３】
上記方法では、レーザー光の照射を停止させることなく、電子基板１１の一方の短辺１１ｂ１の切込み線を形成する工程と、切込み線１３ａ、円形の切込み線１３ｂおよび切込み線１３ｃを形成する工程とを連続して行うことが可能である。
【００４４】
図４に示す第２の方法は前記第１の方法とほぼ同じである。ただし、レーザー光を図示Ｘ１−Ｘ２方向に移動させて切込み線１３ａと切込み線１３ｃとを形成する際に、電子基板１１の短辺１１ｂ１の切込み線に近い図示Ｘ２側の端部（すなわち、切込み線１３ａの始端部と切込み線１３ｃの終端部）において、レーザー光を図示Ｘ１−Ｘ２方向に対しわずかに傾斜する方向に移動させることにより、切込み線１３ａと切込み線１３ｃとの対向間隔ｄ０（ｄ０＞０）よりも狭い対向間隔ｄ１を有する凸形状の切込み線１３ａ１，１３ｂ１を形成している。これにより、原板２０と残存部１３Ａ２とが、接続部１３Ａ１とその先端（図示Ｘ２側の端部）に形成された狭小部１３Ａ３とで連結された状態に設定される。
【００４５】
この第２の方法で形成されたものでは、前記対向間隔が狭い狭小部１３Ａ３において、原板２０から円形の残存部１３Ａ２を容易に切断分離することが可能となっている。
【００４６】
なお、取り付け穴１３Ｂおよび１３Ｃについては、取り付け穴１３Ａと同様の工程で形成してもよいし、また別個に形成してもよい。
【００４７】
次に、第２の工程について説明する。第２の工程では、原板２０に対しつなぎ部１２，１２を介して連結されている電子基板１１の表面に、例えばガラスなどの絶縁物質を膜状にコーティングすることによって絶縁層１６が形成される。そして、絶縁層１６の表面にペースト状の導電性インクを用いて所定のパターンを印刷し、さらに乾燥・焼成などを行うことにより配線パターンを形成する。
【００４８】
第３の工程では、前記配線パターンが短絡等していないかどうか、すなわち、前記配線パターンの導通が正常に得られるか否かについて所定の項目に従った検査を行ってその良否の判定を行う。
【００４９】
このとき、不良品、すなわち、前記配線パターンの導通が正常に得られなかったものであると判断された場合には、図３に示す方法で形成されたものについては接続部１３Ａ１を切り落とすことにより、図４に示す方法で形成されたものについては狭小部１３Ａ３で切断することにより、ともに円形の残存部１３Ａ２を原板２０から分離させて取り付け穴１３Ａが完全に開口する状態に設定させられる。
【００５０】
一方、良品、すなわち、前記配線パターンの導通が正常に得られたものであると判断された場合には、図３および図４に示す方法で形成された場合のいずれにおいても、取り付け穴１３Ａ内に円形の残存部１３Ａ２が残された状態が維持される。
【００５１】
なお、接続部１３Ａ１又は狭小部１３Ａ３の切断は、レーザー加工で行うものであってもよいし、あるいは打抜き加工で行うものであってもよい。
【００５２】
また、上記とは逆に、不良品のときに残存部１３Ａ２を残こし、良品であるときに残存部１３Ａ２を除去するものであってもよい。
【００５３】
第４の工程では、第３の工程の結果に基づいて、前記配線パターン上の所定の位置に歪みセンサ１４、ＩＣチップＥ１、その他チップ抵抗およびコンデンサなど多数の電子部品が取り付けられる。
【００５４】
すなわち、第４の工程では、例えば反射型の識別センサ（図示せず）を用いて電子基板１１の良否が検出される。前記識別センサは、検査光を被検査対象物に向けて照射する発光部と、被検査対象物での反射光を受光する受光部を備えている。前記識別センサは検査光を個々の電子基板１１の取り付け穴１３Ａの形成位置に向けて照射する。このとき、前記受光部において前記検査光の反射光が検知された場合は、検査光が取り付け穴１３Ａに設けられた残存部１３Ａ２で反射されたことになるため、電子基板１１に残存部１３Ａ２が残っている状態、すなわち、電子基板１１が、前記配線パターンの導通が正常に得られた良品であると識別される。これとは逆に、前記受光部において前記検査光の反射光が検知できない場合は、電子基板１１が、前記配線パターンの導通が正常に得られなかった不良品であると識別される。
【００５５】
そして、良品と判断された電子基板１１の前記配線パターン上にのみ前記電子部品が取り付けられる。
【００５６】
この工程では、例えば各電子部品の接続端子と前記配線パターンの接続部とが公知のフロー工程又はリフロー工程を用いて半田付けにより固定される。あるいは、導電性接着剤を用いて接続固定したものであってもよい。
【００５７】
上記のように、本発明では、電子基板１１の良否が、残存部１３Ａ２の有無によって検出される。このため、容易に、そして確実に電子基板１１の良否を識別することができる。
【００５８】
また、良品と判断された電子基板１１の前記配線パターン上にのみ前記電子部品が取り付けられる。このため、不良品の電子基板１１の前記配線パターン上に、わざわざ前記電子部品を取り付けることを回避でき、それ自体では正常に動作する前記電子部品を最終的には廃棄してしまうことを防止でき、前記電子部品を有効に利用することができる。すなわち、製造コストの低減にもなる。
【００５９】
第５の工程ではつなぎ部１２，１２が切断され、電子基板１１が原板２０から切り離される。そして、個々の独立した電子基板１１が完成させられる。
【００６０】
このように、本発明では、電子基板１１の内側に設けられた取り付け穴１３Ａを、電子基板１１の配線パターンの導通の良否を判別する識別マークとして利用することができる。したがって、従来の場合のように、前記識別マークを電子基板１１の外側の位置に取り付け穴１３とは別個には設ける必要がない。このため、原板２０に切込み線を形成し、電子基板１１の外形を形成する工程と、少なくとも識別マーク用の取り付け穴１３Ａの形成工程とを同一の工程で連続して行うことができ、レーザー加工装置の利用効率を向上させることができる。すなわち、レーザー照射を停止してレーザー光の照射位置を移動させる回数を低減することができるため、一つの電子基板１１を短時間でレーザーカットすることが可能となる。
【００６１】
また、上記においては、図１に示すように、識別マーク用の取り付け穴１３Ａを電子基板１１の内側に設けることができ、原板２０上の別のスペースに形成する必要がない。このため、従来と比較して、一つの原板２０から形成される電子基板１１の数量(取り数)を増加させることができる。
【００６２】
たとえば、従来の製造方法を示す図７においては、１つの原板２０から電子基板１１を８個製造することができるが、本発明の製造方法では、図５に示すように、１つの原板２０から電子基板１１を１２個製造することができる。この結果、電子基板１１を、効率よく大量に製造することができる。よって、この点においても電子基板１１の製造効率を向上させることができる。
【図面の簡単な説明】
【００６３】
【図１】本発明の製造方法によって製造される電子基板を示す平面図、
【図２】本発明の電子基板の製造工程を示す平面図、
【図３】取り付け穴を形成する第１の方法を示す平面図、
【図４】取り付け穴を形成する第２の方法を示す平面図、
【図５】複数の電子基板が形成された状態を示す原板の平面図、
【図６Ａ】レーザーを照射した後の状態を示す金属基板素材の平面図、
【図６Ｂ】金属基板素材内の一つのセンサ基板を拡大して示す平面図、
【図７】従来の他の実施の形態としての金属基板素材を示す平面図
【符号の説明】
【００６４】
１０  荷重センサ
１１  電子基板
１１ｂ１  短辺
１２  つなぎ部
１３Ａ，１３Ｂ，１３Ｃ  取り付け穴
１３Ａ１  接続部
１３Ａ２  残存部
１３Ａ３  狭小部
１３ａ，１３ａ１，１３ｂ，１３ｂ１，１３ｃ  切込み線
１４  歪みセンサ
２０  原板
ｄ０，ｄ１  対向間隔
【図１】
2006222153.tif 000003
【図２】
2006222153.tif 000004
【図３】
2006222153.tif 000005
【図４】
2006222153.tif 000006
【図５】
2006222153.tif 000007
【図６Ａ】
2006222153.tif 000008
【図６Ｂ】
2006222153.tif 000009
【図７】
2006222153.tif 000010